(57)【要約】      （修正有）【課題】宝飾品の魅力を増大させる可動部分を有する宝飾品を提供する。【解決手段】宝飾品は、フレーム１とフレーム１に接続された２つの平行なクリスタルガラスとによって密閉式に形成されるエンクロージャを備える。複数の独立した環状エレメントは、エンクロージャ１の内部へ一方を他方の中に入れて配置される。これらの環状エレメント６，７は、エンクロージャの内部及び一方が他方の内部で回転かつ平行移動して自由に動くようにする。【選択図】図１
2004305731.tif 000002
【特許請求の範囲】
【請求項１】
宝飾品であって、前記宝飾品はフレーム（１）と、少なくとも一方は透明である２つの平行な面（３，４）とによって構成されるエンクロージャを備え、前記面は前記フレーム（１）に接続されているという事実と、前記エンクロージャの内側は少なくとも１つの環状の可動エレメント（６，７）を含むという事実と、前記可動エレメントは前記エンクロージャの内側で回転かつ平行移動して自由に動くという事実とを特徴とする宝飾品。
【請求項２】
前記宝飾品は、コレット内に取り付けられた宝石または半宝石によって構成される中実の可動エレメント（８）を含み、前記中実の可動エレメントは最も小さい環状の可動エレメント（７）の内側に配置されるという事実を特徴とする請求項１記載の宝飾品。
【請求項３】
フレーム（１）と環状の可動エレメント（６，７）とは貴金属製であるという事実を特徴とする請求項１または２記載の宝飾品。
【請求項４】
環状の可動エレメント（６，７）の形状は平面図において概して円形であるという事実を特徴とする先行する任意の請求項記載の宝飾品。
【請求項５】
環状の可動エレメント（６，７）の形状は平面図において概して楕円形であるという事実を特徴とする請求項１〜３のいずれか１項に記載の宝飾品。
【請求項６】
環状の可動エレメント（６，７）の形状は平面図において概して多角形であるという事実を特徴とする請求項１〜３のいずれか１項に記載の宝飾品。
【請求項７】
環状の可動エレメント（６，７）の形状は平面図においてハート形またはクローバ形等の曲線状であるという事実を特徴とする請求項１〜３のいずれか１項に記載の宝飾品。
【請求項８】
前記エンクロージャは密閉され、前記フレームとフレーム（１）内へ打ち込まれた２つの平行なクリスタルガラス（２，３）とによって形成される先行する請求項における任意の請求項記載の宝飾品。
【請求項９】
前記宝飾品はフレーム（１）に固定された吊り輪（９）を含むという事実を特徴とする先行する任意の請求項記載の宝飾品。
【請求項１０】
前記宝飾品はフレーム（１）に固定された固定ピンを含むという事実を特徴とする請求項１〜８のいずれか１項に記載の宝飾品。
【請求項１１】
前記環状の可動エレメントの断面は一方のフランジが他方より短い概してＵ字形であるという事実を特徴とする先行する任意の請求項記載の宝飾品。
【請求項１２】
フレーム（１）は、平面図において前記エンクロージャの内側に置かれる可動エレメント（６，７）と同じ形状を呈示するという事実を特徴とする先行する任意の請求項記載の宝飾品。
【請求項１３】
フレーム（１）は、平面図において少なくとも幾つかの可動エレメント（６，７）とは形状が異なるという事実を特徴とする請求項１〜１１のいずれか１項に記載の宝飾品。
【請求項１４】
前記可動エレメントは全て同じ形状であるという事実を特徴とする請求項１〜１２のいずれか１項に記載の宝飾品。
【請求項１５】
前記可動エレメントは異なる形状を呈示するという事実を特徴とする請求項１〜１２のいずれか１項に記載の宝飾品。
【請求項１６】
前記宝飾品は、一方が他方の内部に置かれかつ１つはエンクロージャ内で、その他は一方が他方の内部で回転かつ平行移動して自由に動く複数の独立した環状の可動エレメントを含むという事実を特徴とする先行する請求項における任意の請求項記載の宝飾品。
【発明の詳細な説明】
【技術分野】
【０００１】
本発明は宝飾品に関し、より特定的にはペンダント、ブローチ、指輪、イヤリングまたは他の何らかの装飾品に関する。
【背景技術】
【０００２】
本発明の目的は、魅力的な宝飾品、即ち異なる形状をとる能力があり、これにより前記宝飾品の魅力を増大させる可動部分を有する宝飾品を提供することにある。
【０００３】
資料ＷＯ０２／０８２９４０は、複数の分離されたチャンバに細かく分けられたエンクロージャを備えるリングを開示し、チャンバの各々は、その中で自由に動くことができる１つまたは複数の宝石または半宝石を内包する。
【０００４】
資料ＦＲ２３３８００７は、透明なプレートによって閉鎖された面を有する環状のマウントを有するペンダントを開示している。エンクロージャの一部は、粉材で充填されている。
【発明の開示】
【発明が解決しようとする課題】
【０００５】
本発明の目的は、特に、宝石または半宝石もしくは粉材をランダムな円形にして呈示することに限定されず、依然として可動性でありながら幾何学的形状にして呈示することをも可能にするペンダント、イヤリングまたはブローチを提供することにある。
【課題を解決するための手段】
【０００６】
特にペンダント、イヤリングまたはブローチである本発明の宝飾品は、請求項１に記述された特徴によって定義される。
【０００７】
添付の図面は、本発明による宝飾品の実施形態を例示する図面である。
【発明を実施するための最良の形態】
【０００８】
提示する実施形態では宝飾品はペンダントであるが、ブローチ、イヤリング、指輪または例えばその固定方法がペンダントとは異なる装身具のような他の宝飾品並びにジュエリー・ウォッチも実施可能である。
【０００９】
図１〜４が示す宝飾品の第１の実施形態は、環状及び円形の可動エレメントを呈示する円形状のペンダントである。本ペンダントは、環状のフレーム１または「中間物」によって形成される密閉されたエンクロージャを備え、その２つの面はフレーム内へと打ち込まれた透明のプレートまたは「クリスタルガラス」２、３で閉鎖され、エンクロージャは詰め物４、５で密閉される。
【００１０】
このエンクロージャ内部の円筒形の空間は、この場合は一方が他方の内部に配置される２つのリング６、７と、内側のリング７の内部に配置されるコレット内に置かれたダイヤモンド８とで構成される可動式装飾エレメントを含む。
【００１１】
装飾エレメント、即ちリング６、７及びダイヤモンド８の厚さはクリスタルガラス２、３の間の距離より小さく、よってこれらの装飾エレメントは、過度に高い摩擦力を受けることなく一方が他方の内部でかつ全てがエンクロージャの内側で回転かつ平行移動して自由に動くことができる。
【００１２】
また、これらのエレメントがクリスタルガラス２、３に平行な平面から遠くへ離れ過ぎないように保証することも重要であるため、装飾エレメント６、７のこの厚さは、クリスタルガラス２、３間の距離より例えば０．１ミリメートル（ｍｍ）〜０．５ｍｍ少ないことが可能である。
【００１３】
２より多い個数、特に３または４個で呈示される可能性のある装飾エレメント６、７は全て円形のリングの形式であるが、中央のエレメント８は中実である。
【００１４】
宝飾品の外見は、エンクロージャの内側でかつ一方が他方の内側で回転し、また互いに相関して平行移動して動くことができるリング６、７及びダイヤモンド８によるその位置の作用として変化する。これは特に、宝飾品が水平面上に置かれかつ装飾エレメントがランダムな位置を占めている図２を見れば分かる。
【００１５】
宝飾品のこの実施形態では、エンクロージャは中をチェーンが通る吊り輪９を含む。
【００１６】
宝飾品がブローチであれば、輪９をピン等の他の何らかの固定手段に置換することができる。
【００１７】
変形例では、クリスタルガラス２、３の一方、特に後側のクリスタルガラス３を例えば金属、不透明な壁または鏡に置換することができる。
【００１８】
図５〜７に示された実施形態では、環状の可動エレメント６、７は円形状ではなく、それぞれハート形、四角形及び楕円形である。三角形または他の多角形、クローバ形等、他の多角形または曲線形状を構想することも可能である。
【００１９】
宝飾品を形成するエンクロージャのフレーム１は、好適には、円形或いはエンクロージャの内側に包含される可動エレメント６、７の形状に合う形の何れかである。
【００２０】
エンクロージャ内に入れる環状の可動エレメントの数は好適には２〜３個であるが、さらに多い場合もある。
【００２１】
宝飾品のフレーム１及び環状の可動エレメント６、７は、概して金属製、鋼製または金、銀或いはプラチナ等の貴金属製である。
【００２２】
宝飾品の環状の可動エレメント６、７は全て、好適には同じ円形、多角形、他の形状であるが、同じエンクロージャ内に、互いに異なる形状の環状のエレメントを使用して一方を他方の内部に配置することも可能である。
【００２３】
環状の可動エレメント６、７の断面は、フランジの一方が他方より短く、概してＵ字形である。
【００２４】
図５及び６では、フレーム及び各々ハート形と四角形である可動エレメントにダイヤモンドが散りばめられている。
【００２５】
フレーム１は好適には、エンクロージャの内側に配置される可動エレメントと同じ形状を呈するが、フレーム１は円形であるが可動エレメントはハート形である図５が示すように、フレームとは異なる形状の可動エレメントを構想することもできる。
【００２６】
概して宝飾品は、ペンダント、イヤリングまたはブローチの場合がそうであるように垂直に着用される。こうした状況下では、可動エレメントは重力の影響を受けてそれらの円周上の点で互いに接触し、最も大きいサイズの可動エレメントは１点でフレームの内面に当たる。宝飾品を着用する人は動くため、可動エレメントはエンクロージャの内側で移動し、宝飾品に遊び心のある魅力的な側面を与える。
【００２７】
はめ込み式宝石を有する宝飾品の場合、フレーム及び可動エレメントの全てまたは一部に同じ種類の宝石または異なる色の宝石を置くことができる。
【００２８】
エンクロージャ１は密閉されるため、その内側は水分または埃で汚れることがない。シーリングは１〜３バールの圧力に耐え得るものが供給され、使用者はこの宝飾品を着用したまま入浴することができる。
【図面の簡単な説明】
【００２９】
【図１】垂直に吊られた正位置での本発明のペンダントの平面図である。
【図２】図１のペンダントを水平面上に置いた場合の平面図である。
【図３】図１が示すペンダントの正面側面図である。
【図４】図１が示すペンダントの線Ａ−Ａに沿った断面図である。
【図５】図１が示すペンダントの変形例を示す平面図である。
【図６】図１が示すペンダントの変形例を示す平面図である。
【図７】図１が示すペンダントの変形例を示す平面図である。
【図１】
2004305731.tif 000003
【図２】
2004305731.tif 000004
【図３】
2004305731.tif 000005
【図４】
2004305731.tif 000006
【図５】
2004305731.tif 000007
【図６】
2004305731.tif 000008
【図７】
2004305731.tif 000009